(57)【要約】【課題】操作性を向上させることができる電子機器を提供する。【解決手段】ボタン１１と、同じボタン１１に対する操作であって、閾値時間に対するボタン１１が押された時間の長短、および基準時間内にボタン１１が押された回数、のいずれかが異なる２つの操作の一方である第１ボタン操作が行われた場合に、選択項目に関する決定候補の選択肢を他の選択肢に切り替えて表示させ、２つの操作の他方である第２ボタン操作が行われた場合に、選択項目が決定候補の選択肢に決定され、決定された選択肢に対応した画面を表示させる制御部とを備えた。【選択図】図２
2018136827.tif 000002
【特許請求の範囲】
【請求項１】
ボタンと、
同じ前記ボタンに対する操作であって、閾値時間に対する前記ボタンが押された時間の長短、および基準時間内に前記ボタンが押された回数、のいずれかが異なる２つの操作の一方である第１ボタン操作が行われた場合に、選択項目に関する決定候補の選択肢を他の前記選択肢に切り替えて表示させ、前記２つの操作の他方である第２ボタン操作が行われた場合に、前記選択項目が決定候補の前記選択肢に決定され、決定された前記選択肢に対応した画面を表示させる制御部と、
を備えたことを特徴とする電子機器。
【請求項２】
ボタンと、
同じ前記ボタンに対する操作であって、前記ボタンが押された時間が閾値時間よりも短い短押しと、前記ボタンが押された時間が前記閾値時間よりも長い長押しと、基準時間内に前記ボタンが連打されるマルチクリックと、の３つの操作のうちのいずれかである第１ボタン操作が行われた場合に、選択項目に関する決定候補の選択肢を他の前記選択肢に切り替えて表示させ、前記３つの操作のうち前記第１ボタン操作とは異なる第２ボタン操作が行われた場合に、前記選択項目が決定候補の前記選択肢に決定され、決定された前記選択肢に対応した画面を表示させ、前記３つの操作のうち前記第１ボタン操作および前記第２ボタン操作とは異なる第３ボタン操作が行われた場合に、前記選択項目とは異なる追加選択項目に関する決定候補の選択肢を前記選択項目に関する決定候補の前記選択肢と共に表示させ、または、前記選択項目に関する決定候補の前記選択肢を切替え前の前記選択肢に戻して表示させる制御部と、
を備えたことを特徴とする電子機器。
【請求項３】
第１ボタンと、
第２ボタンと、
同じ前記第１ボタンに対する操作であって、閾値時間に対する前記第１ボタンが押された時間の長短、および基準時間内に前記第１ボタンが押された回数、の一方が異なる２つの操作と、前記第２ボタンに対する操作と、の３つの操作のいずれかの操作である第１ボタン操作が行われた場合に、選択項目に関する決定候補の選択肢を他の前記選択肢に切り替えて表示させ、３つの操作のうち前記第１ボタン操作とは異なる第２ボタン操作が行われた場合に、前記選択項目が決定候補の前記選択肢に決定され、決定された前記選択肢に対応した画面を表示させ、３つの操作のうち前記第１ボタン操作および前記第２ボタン操作とは異なる第３ボタン操作が行われた場合に、前記選択項目とは異なる追加選択項目に関する決定候補の選択肢を前記選択項目に関する決定候補の前記選択肢と共に表示させ、または、前記選択項目に関する決定候補の前記選択肢を切替え前の前記選択肢に戻して表示させる制御部と、
を備えたことを特徴とする電子機器。
【請求項４】
前記制御部は、前記第３ボタン操作が行われた場合に、複数桁の数値のうち、前記選択項目である第１の位に関する決定候補の前記選択肢と共に、前記追加選択項目である第２の位に関する決定候補の前記選択肢を表示させることを特徴とする請求項２または３に記載の電子機器。
【請求項５】
ボタンを備える電子機器のプロセッサーに、
同じ前記ボタンに対する操作であって、閾値時間に対する前記ボタンが押された時間の長短、および基準時間内に前記ボタンが押された回数、のいずれかが異なる２つの操作の一方である第１ボタン操作が行われた場合に、選択項目に関する決定候補の選択肢を他の前記選択肢に切り替えて表示させるステップと、
前記２つの操作の他方である第２ボタン操作が行われた場合に、前記選択項目が決定候補の前記選択肢に決定され、決定された前記選択肢に対応した画面を表示させるステップと、
を実行させることを特徴とするプログラム。
【請求項６】
ボタンを備える電子機器のプロセッサーに、
同じ前記ボタンに対する操作であって、前記ボタンが押された時間が閾値時間よりも短い短押しと、前記ボタンが押された時間が前記閾値時間よりも長い長押しと、基準時間内に前記ボタンが連打されるマルチクリックと、の３つの操作のうちのいずれかである第１ボタン操作が行われた場合に、選択項目に関する決定候補の選択肢を他の前記選択肢に切り替えて表示させるステップと、
前記３つの操作のうち前記第１ボタン操作とは異なる第２ボタン操作が行われた場合に、前記選択項目が決定候補の前記選択肢に決定され、決定された前記選択肢に対応した画面を表示させるステップと、
前記３つの操作のうち前記第１ボタン操作および前記第２ボタン操作とは異なる第３ボタン操作が行われた場合に、前記選択項目とは異なる追加選択項目に関する決定候補の選択肢を前記選択項目に関する決定候補の前記選択肢と共に表示させ、または、前記選択項目に関する決定候補の前記選択肢を切替え前の前記選択肢に戻して表示させるステップと、
を実行させることを特徴とするプログラム。
【請求項７】
第１ボタンおよび第２ボタンを備える電子機器のプロセッサーに、
同じ前記第１ボタンに対する操作であって、閾値時間に対する前記第１ボタンが押された時間の長短、および基準時間内に前記第１ボタンが押された回数、の一方が異なる２つの操作と、前記第２ボタンに対する操作と、の３つの操作のいずれかの操作である第１ボタン操作が行われた場合に、選択項目に関する決定候補の選択肢を他の前記選択肢に切り替えて表示させるステップと、
３つの操作のうち前記第１ボタン操作とは異なる第２ボタン操作が行われた場合に、前記選択項目が決定候補の前記選択肢に決定され、決定された前記選択肢に対応した画面を表示させるステップと、
３つの操作のうち前記第１ボタン操作および前記第２ボタン操作とは異なる第３ボタン操作が行われた場合に、前記選択項目とは異なる追加選択項目に関する決定候補の選択肢を前記選択項目に関する決定候補の前記選択肢と共に表示させ、または、前記選択項目に関する決定候補の前記選択肢を切替え前の前記選択肢に戻して表示させるステップと、
を実行させることを特徴とするプログラム。
【発明の詳細な説明】
【技術分野】
【０００１】
本発明は、ボタンを備えた電子機器およびプログラムに関するものである。
【背景技術】
【０００２】
従来、特許文献１が開示するように、ボタン（電源ボタン）が押された時間が閾値時間よりも短い場合に、電子機器（画像形成装置）を省電力状態に移行させ、ボタンが押された時間が閾値時間よりも長い場合に、電子機器を電源断状態に移行させる電子機器が知られている。なお、本段落において、括弧内の文言は、特許文献１における名称を示す。
【先行技術文献】
【特許文献】
【０００３】
【特許文献１】特開２０１４−１１３７８６号公報
【発明の概要】
【発明が解決しようとする課題】
【０００４】
ところで、電子機器が数多くのボタンを備える場合、ユーザーにとっては、数多くのボタンを操作しなければならず、不便である。
【０００５】
本発明は、操作性を向上させることができる電子機器およびプログラムを提供することを課題としている。
【課題を解決するための手段】
【０００６】
本発明の電子機器は、ボタンと、同じボタンに対する操作であって、閾値時間に対するボタンが押された時間の長短、および基準時間内にボタンが押された回数、のいずれかが異なる２つの操作の一方である第１ボタン操作が行われた場合に、選択項目に関する決定候補の選択肢を他の選択肢に切り替えて表示させ、２つの操作の他方である第２ボタン操作が行われた場合に、選択項目が決定候補の選択肢に決定され、決定された選択肢に対応した画面を表示させる制御部と、を備えたことを特徴とする。
【０００７】
本発明のプログラムは、ボタンを備える電子機器のプロセッサーに、同じボタンに対する操作であって、閾値時間に対するボタンが押された時間の長短、および基準時間内にボタンが押された回数、のいずれかが異なる２つの操作の一方である第１ボタン操作が行われた場合に、選択項目に関する決定候補の選択肢を他の選択肢に切り替えて表示させるステップと、２つの操作の他方である第２ボタン操作が行われた場合に、選択項目が決定候補の選択肢に決定され、決定された選択肢に対応した画面を表示させるステップと、を実行させることを特徴とする。
【０００８】
この構成によれば、選択項目に関する決定候補の選択肢を切り替えるための操作と、選択項目を決定候補の選択肢に決定するための操作とが、同じボタンを用いて行われる。これにより、電子機器が備えるボタンの数を減らすことができ、操作性を向上させることができる。
【０００９】
本発明の他の電子機器は、ボタンと、同じボタンに対する操作であって、ボタンが押された時間が閾値時間よりも短い短押しと、ボタンが押された時間が閾値時間よりも長い長押しと、基準時間内にボタンが連打されるマルチクリックと、の３つの操作のうちのいずれかである第１ボタン操作が行われた場合に、選択項目に関する決定候補の選択肢を他の選択肢に切り替えて表示させ、３つの操作のうち第１ボタン操作とは異なる第２ボタン操作が行われた場合に、選択項目が決定候補の選択肢に決定され、決定された選択肢に対応した画面を表示させ、３つの操作のうち第１ボタン操作および第２ボタン操作とは異なる第３ボタン操作が行われた場合に、選択項目とは異なる追加選択項目に関する決定候補の選択肢を選択項目に関する決定候補の選択肢と共に表示させ、または、選択項目に関する決定候補の選択肢を切替え前の選択肢に戻して表示させる制御部と、を備えたことを特徴とする。
【００１０】
本発明の他のプログラムは、ボタンを備える電子機器のプロセッサーに、同じボタンに対する操作であって、ボタンが押された時間が閾値時間よりも短い短押しと、ボタンが押された時間が閾値時間よりも長い長押しと、基準時間内にボタンが連打されるマルチクリックと、の３つの操作のうちのいずれかである第１ボタン操作が行われた場合に、選択項目に関する決定候補の選択肢を他の選択肢に切り替えて表示させるステップと、３つの操作のうち第１ボタン操作とは異なる第２ボタン操作が行われた場合に、選択項目が決定候補の選択肢に決定され、決定された選択肢に対応した画面を表示させるステップと、３つの操作のうち第１ボタン操作および第２ボタン操作とは異なる第３ボタン操作が行われた場合に、選択項目とは異なる追加選択項目に関する決定候補の選択肢を選択項目に関する決定候補の選択肢と共に表示させ、または、選択項目に関する決定候補の選択肢を切替え前の選択肢に戻して表示させるステップと、を実行させることを特徴とする。
【００１１】
この構成によれば、選択項目に関する決定候補の選択肢を切り替えるための操作と、選択項目を決定候補の選択肢に決定するための操作と、追加選択項目に関する決定候補の選択肢を表示させ或いは決定候補の選択肢を切替え前の選択肢に戻すための操作とが、同じボタンを用いて行われる。これにより、電子機器が備えるボタンの数を減らすことができ、操作性を向上させることができる。
【００１２】
本発明の他の電子機器は、第１ボタンと、第２ボタンと、同じ第１ボタンに対する操作であって、閾値時間に対する第１ボタンが押された時間の長短、および基準時間内に第１ボタンが押された回数、の一方が異なる２つの操作と、第２ボタンに対する操作と、の３つの操作のいずれかの操作である第１ボタン操作が行われた場合に、選択項目に関する決定候補の選択肢を他の選択肢に切り替えて表示させ、３つの操作のうち第１ボタン操作とは異なる第２ボタン操作が行われた場合に、選択項目が決定候補の選択肢に決定され、決定された選択肢に対応した画面を表示させ、３つの操作のうち第１ボタン操作および第２ボタン操作とは異なる第３ボタン操作が行われた場合に、選択項目とは異なる追加選択項目に関する決定候補の選択肢を選択項目に関する決定候補の選択肢と共に表示させ、または、選択項目に関する決定候補の選択肢を切替え前の選択肢に戻して表示させる制御部と、を備えたことを特徴とする。
【００１３】
本発明の他のプログラムは、第１ボタンおよび第２ボタンを備える電子機器のプロセッサーに、同じ第１ボタンに対する操作であって、閾値時間に対する第１ボタンが押された時間の長短、および基準時間内に第１ボタンが押された回数、の一方が異なる２つの操作と、第２ボタンに対する操作と、の３つの操作のいずれかの操作である第１ボタン操作が行われた場合に、選択項目に関する決定候補の選択肢を他の選択肢に切り替えて表示させるステップと、３つの操作のうち第１ボタン操作とは異なる第２ボタン操作が行われた場合に、選択項目が決定候補の選択肢に決定され、決定された選択肢に対応した画面を表示させるステップと、３つの操作のうち第１ボタン操作および第２ボタン操作とは異なる第３ボタン操作が行われた場合に、選択項目とは異なる追加選択項目に関する決定候補の選択肢を選択項目に関する決定候補の選択肢と共に表示させ、または、選択項目に関する決定候補の選択肢を切替え前の選択肢に戻して表示させるステップと、を実行させることを特徴とする。
【００１４】
この構成によれば、選択項目に関する決定候補の選択肢を切り替えるための操作と、選択項目を決定候補の選択肢に決定するための操作と、追加選択項目に関する決定候補の選択肢を表示させ或いは決定候補の選択肢を切替え前の選択肢に戻すための操作と、のうちの２つの操作が、同じ第１ボタンを用いて行われる。これにより、電子機器が備えるボタンの数を減らすことができ、操作性を向上させることができる。
【００１５】
この場合、制御部は、第３ボタン操作が行われた場合に、複数桁の数値のうち、選択項目である第１の位に関する決定候補の選択肢と共に、追加選択項目である第２の位に関する決定候補の選択肢を表示させることが好ましい。
【００１６】
この構成によれば、第２の位に関する決定候補の選択肢を、第１の位に関する決定候補の選択肢と共に、ユーザーに視認させることができる。
【図面の簡単な説明】
【００１７】
【図１】本発明の第１実施形態に係る複合機の構成を示すブロック図である。
【図２】複合機の操作パネルに設けられたディスプレーに、選択画面が表示された状態を示す図である。
【図３】図２の状態からボタンが短押しされた後の状態を示す図である。
【図４】図３の状態からボタンが短押しされた後の状態を示す図である。
【図５】図３の状態からボタンが長押しされた後の状態を示す図である。
【図６】複合機の操作パネルに設けられたディスプレーに、選択項目「モード」の選択画面が表示された状態を示す図である。
【図７】図６の状態からボタンが短押しされた後の状態を示す図である。
【図８】図７の状態からボタンが長押しされた後の状態を示す図である。
【図９】選択画面が表示された状態でボタンが押された場合に、コントローラーが実行する処理を示すフローチャートである。
【図１０】本発明の第２実施形態に係る複合機の操作パネルに設けられたディスプレーに、選択画面が表示された状態を示す図である。
【図１１】図１０の状態からボタンがダブルクリックされた後の状態を示す図である。
【図１２】複合機の操作パネルに設けられたディスプレーに、選択項目「印刷部数（十の位）」の選択画面が表示された状態を示す図である。
【図１３】図１２の状態からボタンが短押しされた後の状態を示す図である。
【図１４】図１３の状態からボタンがダブルクリックされた後の状態を示す図である。
【図１５】図１４の状態からボタンが短押しされた後の状態を示す図である。
【図１６】図１５の状態からボタンが短押しされた後の状態を示す図である。
【図１７】図１６の状態からボタンが長押しされた後の状態を示す図である。
【図１８】複合機の操作パネルに設けられたディスプレーに、選択項目「モード」の選択画面が表示された状態を示す図である。
【図１９】図１８の状態からボタンがダブルクリックされた後の状態を示す図である。
【図２０】図１９の状態からボタンが長押しされた後の状態を示す図である。
【図２１】選択画面に追加候補アイコンが表示されていない状態でボタンが押された場合に、コントローラーが実行する処理を示すフローチャートである。
【図２２】本発明の第２実施形態の変形例に係る複合機の操作パネルに設けられたディスプレーに、選択画面が表示された状態を示す図である。
【図２３】図２２の状態からボタンが短押しされた後の状態を示す図である。
【図２４】図２３の状態からボタンが短押しされた後の状態を示す図である。
【図２５】図２４の状態からボタンがダブルクリックされた後の状態を示す図である。
【図２６】本発明の第３実施形態に係る複合機の操作パネルに設けられたディスプレーに、選択画面が表示された状態を示す図である。
【図２７】選択画面に追加候補アイコンが表示されていない状態でボタンが押された場合に、コントローラーが実行する処理を示すフローチャートである。
【発明を実施するための形態】
【００１８】
図１に基づいて、本発明の電子機器の第１実施形態に係る複合機Ｍの概略構成について説明する。複合機Ｍは、ＭＦＰ（Multi-functional Peripheral）とも呼ばれ、コピー機能、スキャン機能、ファクシミリ通信機能およびプリント機能などの複数の機能を有する。複合機Ｍは、操作パネル１と、給紙機構２と、印刷機構３と、スキャン機構４と、ＦＡＸモデム５と、コントローラー６とを備えている。
【００１９】
操作パネル１は、ユーザーインターフェースとして機能する。操作パネル１は、ボタン１１と、ディスプレー１２とをそれぞれ１つずつ備えている。ディスプレー１２としては、例えば、液晶ディスプレー或いは有機ＥＬ（electroluminescence）ディスプレーを用いることができる。ボタン１１は、ユーザーが押す操作を受け付ける。ディスプレー１２は、ボタン１１に対する操作の検出結果に基づいて、各種表示を行う。また、不図示の電源ボタンを備えている。
【００２０】
給紙機構２は、印刷機構３に対して、印刷用紙を供給する。給紙機構２は、複数の給紙トレイ（図示省略）を備えている。複数の給紙トレイには、サイズ別に（例えば、Ｂ５判、Ａ４判、Ｂ４判およびＡ３判に分かれて）、印刷用紙がセットされる。
【００２１】
印刷機構３は、スキャン機構４により原稿から読み取られた画像データ、パソコンなどの外部装置から受信した印刷データ、或いはファクシミリ通信機能を有する外部装置から受信したファクシミリデータに基づいて、給紙機構２から供給された印刷用紙に対して印刷を行う。印刷機構３は、モノクロ印刷だけでなく、カラー印刷を行うことができる。なお、印刷機構３の印刷方式は、特に限定されるものではないが、例えば、インクジェット方式或いは電子写真方式を用いることができる。
【００２２】
スキャン機構４は、原稿から画像データを読み取る。ＦＡＸモデム５は、公衆交換電話網などのネットワークを介して、ファクシミリ通信機能を有する外部装置とファクシミリ通信を行う。
【００２３】
コントローラー６は、複合機Ｍの各部を制御する。コントローラー６は、ＣＰＵ６１（Central Processing Unit）と、ＲＯＭ６２（Read Only Memory）と、ＲＡＭ６３（Random Access Memory）とを備えている。ＣＰＵ６１は、ＲＯＭ６２に記憶されたプログラムを、ＲＡＭ６３を用いて実行する。コントローラー６は、ディスプレー１２、給紙機構２、印刷機構３およびスキャン機構４を駆動するドライバー回路（図示省略）に対し、制御信号を出力する。コントローラー６は、ＦＡＸモデム５からの送受信割込みを受け付け、ＦＡＸモデム５に送信するデータの制御を行う。また、コントローラー６には、ボタン１１からの出力信号が入力する。
【００２４】
コントローラー６は、ボタン１１からの出力信号に基づいて、ボタン１１が短押しされたか、長押しされたかを判断する。すなわち、コントローラー６は、ボタン１１が押された時間が、ＲＯＭ６２に記憶された閾値時間よりも短い場合には、短押しであると判断し、閾値時間よりも長い場合には、長押しであると判断する。なお、閾値時間は、ＥＥＰＲＯＭ（Electrically Erasable Programmable ROM）等の書換え可能な記憶部に記憶された構成でもよい。すなわち、閾値時間を、ユーザーが所望の長さに変更可能な構成でもよい。
【００２５】
図２ないし図５に基づいて、ディスプレー１２に表示される選択画面１００について説明する。選択画面１００は、後述する「モード」などの選択項目を、複数の選択肢のなかから選択された選択肢に決定するための画面である。
【００２６】
図２に示したように、選択画面１００には、候補アイコン１０１および候補文字列１０２が表示される。候補アイコン１０１および候補文字列１０２は、選択項目に関する決定候補の選択肢を示す。ここで、決定候補の選択肢とは、後述するように、ボタン１１が長押しされた場合に、複数の選択肢のなかから選択項目に決定される選択肢を意味する。候補アイコン１０１は、それが示す選択肢によって、色が異なる（図２等では、色の違いをハッチの違いで示す）。なお、候補アイコン１０１は、それが示す選択肢によらず、同じ色であってもよい（図１２および図１３参照）。
【００２７】
選択画面１００が表示された状態で、ボタン１１が短押しされると、選択項目に関する決定候補の選択肢が他の選択肢に切り替えられる。これに伴い、選択画面１００には、切替え後の決定候補の選択肢を示す候補アイコン１０１および候補文字列１０２が表示される。具体的には、選択画面１００に、決定候補の選択肢「Ａ」を示す候補アイコン１０１および候補文字列１０２が表示された状態（図２参照）で、ボタン１１が短押しされると、決定候補の選択肢が「Ａ」から「Ｂ」に切り替えられる。そして、選択画面１００には、切替え後の決定候補の選択肢「Ｂ」を示す候補アイコン１０１および候補文字列１０２が表示される（図３参照）。この状態で、さらにボタン１１が短押しされると、決定候補の選択肢が「Ｂ」から「Ｃ」に切り替えられる。そして、選択画面１００には、切替え後の決定候補の選択肢「Ｃ」を示す候補アイコン１０１および候補文字列１０２が表示される（図４参照）。なお、ボタン１１が繰り返し短押しされると、決定候補の選択肢は、複数の選択肢間でサイクリックに切り替えられる。
【００２８】
一方、選択画面１００が表示された状態で、ボタン１１が長押しされると、選択項目が決定候補の選択肢に決定される。具体的には、選択画面１００に、決定候補の選択肢として「Ｂ」を示す候補アイコン１０１および候補文字列１０２が表示された状態（図３参照）で、ボタン１１が長押しされると、選択項目が決定候補の選択肢「Ｂ」に決定される。また、選択項目が決定候補の選択肢に決定されると、ディスプレー１２には、選択項目として決定された選択肢に対応した画面が表示される。なお、決定された選択肢に対応した画面とは、予め選択肢と対応付けて記憶されたものであり、例えば、決定された選択肢に関連した、他の選択項目の選択画面１００が表示される（図５参照）。
【００２９】
なお、選択画面１００には、決定候補の選択肢として、候補アイコン１０１および候補文字列１０２が表示されるが、決定候補の選択肢の表示態様は、これに限定されるものではない。例えば、候補アイコン１０１および候補文字列１０２のうち、候補アイコン１０１のみが表示される構成でもよく（図１２参照）、候補文字列１０２のみが表示される構成でもよい。また、複数の選択肢にそれぞれ対応した複数のアイコンの一部或いは全てが固定的に表示されたなかで、候補アイコン１０１が他のアイコンとは識別可能に表示される態様でもよい。
【００３０】
また、選択画面１００には、上記の候補アイコン１０１および候補文字列１０２のほか、次アイコン１０３および旧アイコン１０４も表示される。次アイコン１０３、候補アイコン１０１および旧アイコン１０４は、反時計回り方向にこの順に並んで表示される。次アイコン１０３は、次回、ボタン１１が短押しされた後に、候補アイコン１０１となる選択肢を示す。旧アイコン１０４は、前回、ボタン１１が短押しされる前に、候補アイコン１０１であった選択肢を示す。例えば、次アイコン１０３が選択肢「Ｂ」を示す状態で（図２参照）、ボタン１１が短押しされると、候補アイコン１０１が選択肢「Ｂ」を示す状態となる（図３参照）。この状態で、さらにボタン１１が短押しされると、旧アイコン１０４が選択肢「Ｂ」を示す状態となる（図４参照）。なお、同じ選択肢を示す候補アイコン１０１、次アイコン１０３および旧アイコン１０４は、同じ色で表示される。このように、候補アイコン１０１と共に、次アイコン１０３および旧アイコン１０４が表示されるため、候補アイコン１０１が切替え可能であることを、すなわち、決定候補の選択肢が切替え可能であることを、ユーザーに認識させることができる。また、色と選択肢の対応関係を把握しているユーザーであれば、次アイコン１０３の色から、候補アイコン１０１を切替えると、どの選択肢の候補アイコン１０１が表示されることになるかを、予測することが可能になる。
【００３１】
候補アイコン１０１は、旧アイコン１０４或いは次アイコン１０３に比べて、大きく表示される。また、候補アイコン１０１は、円形であるのに対し、次アイコン１０３および旧アイコン１０４は、円形の一部のみが表示される。このように、次アイコン１０３および旧アイコン１０４は、候補アイコン１０１とは異なる態様で表示されるため、これらの３つのアイコンのうち、いずれが候補アイコン１０１であるかを、すなわち、いずれが決定候補の選択肢を示すアイコンであるかを、ユーザーに対して容易に識別させることができる。なお、次アイコン１０３および旧アイコン１０４は、必ずしも表示される必要はなく、候補アイコン１０１のみが表示される構成でもよい。また、候補アイコン１０１、次アイコン１０３および旧アイコン１０４の配置についても、特に限定されるものではない。
【００３２】
図６ないし図８に基づいて、選択画面１００の操作手順について、より具体的に説明する。コントローラー６は、複合機Ｍの電源が投入された場合などに、図６に示したように、選択項目「モード」の選択画面１００をディスプレー１２に表示させる。選択項目「モード」は、複合機Ｍが実行するモードを選択するための選択項目であり、選択肢には、「ファックス」、「コピー」、「スキャン」などが含まれる。ここでは、選択画面１００に表示された候補アイコン１０１および候補文字列１０２が示すように、決定候補の選択肢は、「ファックス」となっている。
【００３３】
この状態で、ユーザーによりボタン１１が短押しされると、コントローラー６は、決定候補の選択肢を「ファックス」から「コピー」に切り替える。また、コントローラー６は、選択画面１００に、切替え後の決定候補の選択肢「コピー」を示す候補アイコン１０１および候補文字列１０２を表示させる（図７参照）。
【００３４】
この状態で、ユーザーによりボタン１１が長押しされると、コントローラー６は、選択項目「モード」を決定候補の選択肢「コピー」に決定する。そして、コントローラー６は、図８に示したように、決定された選択肢「コピー」に対応した画面として、選択項目「コピー設定」の選択画面１００をディスプレー１２に表示させる。「コピー設定」は、コピー機能に関する設定項目を選択するための選択項目であり、選択肢には、「給紙トレイ設定」、「部数設定」、「カラー設定」、「設定リセット」、「コピー開始」および「戻る」などが含まれる。ここでは、選択画面１００に表示された候補アイコン１０１および候補文字列１０２が示すように、決定候補の選択肢は、「給紙トレイ設定」となっている。選択項目「コピー設定」の選択画面１００においても、選択項目「モード」の選択画面１００と同様にして、選択項目「コピー設定」が複数の選択肢のなかから選択された選択肢に決定される。
【００３５】
図９に基づいて、選択画面１００が表示された状態でボタン１１が押された場合に、コントローラー６が実行する処理について説明する。コントローラー６は、ＣＰＵ６１がＲＯＭ６２に記憶された制御プログラムをＲＡＭ６３を用いて実行することにより、以下のステップを実行する。
【００３６】
ステップＳ１１では、コントローラー６は、ボタン１１が押されたか否かを判断する。コントローラー６は、ボタン１１が押されたと判断すると（Ｓ１１；Ｙｅｓ）、ステップＳ１２に進む。一方、コントローラー６は、ボタン１１が押されていないと判断すると（Ｓ１１；Ｎｏ）、ステップＳ１１を繰り返す。より詳しく言うと、コントローラー６は、ボタン１１が押されるまでは、ステップＳ１１を繰り返し、ボタン１１が押されると、タイマーで計時を開始する。そして、ボタン１１が離されると、計時を終了し、ステップＳ１２に進む。
【００３７】
ステップＳ１２では、コントローラー６は、ボタン１１が短押しされたか、長押しされたかを判断する。コントローラー６は、ボタン１１が短押しされたと判断すると、ステップＳ１３に進む。コントローラー６は、ボタン１１が長押しされたと判断すると、ステップＳ１５に進む。より詳しく言うと、コントローラー６は、ステップＳ１１で計時された時間とＲＯＭ６２に記憶された閾値時間とを比較し、計時された時間が閾値時間よりも短ければ、ボタン１１が短押しされたと判断してステップＳ１３に進み、計時された時間が閾値時間よりも長ければ、ボタン１１が長押しされたと判断してステップＳ１５に進む。この閾値時間は、段落００２４で述べたように、ユーザーが予め変更していてもよい。
【００３８】
ステップＳ１３では、コントローラー６は、選択項目に関する決定候補の選択肢を他の選択肢に切り替える。
【００３９】
ステップＳ１４では、コントローラー６は、選択画面１００において、切替え後の決定候補の選択肢を示す候補アイコン１０１および候補文字列１０２が表示されるように、ディスプレー１２を制御する。その後、ステップＳ１１に戻る。
【００４０】
ステップＳ１５では、コントローラー６は、選択項目を決定候補の選択肢に決定する。
【００４１】
ステップＳ１６では、コントローラー６は、選択項目として決定された選択肢に対応した画面が表示されるように、ディスプレー１２を制御する。
【００４２】
以上のように、第１実施形態の複合機Ｍは、ボタン１１と、コントローラー６とを備えている。コントローラー６は、ボタン１１が短押しされた場合に、選択項目に関する決定候補の選択肢を他の選択肢に切り替えてディスプレー１２に表示させる。また、コントローラー６は、ボタン１１が長押しされた場合に、選択項目を決定候補の選択肢に決定し、決定された選択肢に対応した画面をディスプレー１２に表示させる。
【００４３】
また、第１実施形態の複合機Ｍにおいて、制御プログラムは、ＣＰＵ６１に、以下のステップを実行させる。
ボタン１１が短押しされた場合に、選択項目に関する決定候補の選択肢を他の選択肢に切り替えてディスプレー１２に表示させるステップ。
ボタン１１が長押しされた場合に、選択項目を決定候補の選択肢に決定し、決定された選択肢に対応した画面をディスプレー１２に表示させるステップ。
【００４４】
この構成によれば、選択項目に関する決定候補の選択肢を切り替えるための操作と、選択項目を決定候補の選択肢に決定するための操作とが、同じボタン１１を用いて行われる。これにより、複合機Ｍが備えるボタンの数を減らすことができ、操作性を向上させることができる。
【００４５】
なお、第１実施形態の複合機Ｍでは、コントローラー６が、ボタン１１が短押しされると、選択項目に関する決定候補の選択肢を切り替え、ボタン１１が長押しされると、選択項目を決定候補の選択肢に決定するが、これに限定されるものではなく、その逆でもよい。すなわち、コントローラー６は、ボタン１１が長押しされると、選択項目に関する決定候補の選択肢を切り替え、ボタン１１が短押しされると、選択項目を決定候補の選択肢に決定してもよい。また、コントローラー６は、ボタン１１がシングルクリックされると、選択項目に関する決定候補の選択肢を切り替え、ボタン１１がダブルクリックされると、選択項目を決定候補の選択肢に決定してもよく、その逆でもよい。
【００４６】
このように、コントローラー６は、同じボタン１１に対する操作であって、閾値時間に対するボタン１１が押された時間の長短、および基準時間内にボタン１１が押された回数、のいずれかが異なる２つの操作の一方である「第１ボタン操作」が行われた場合に、選択項目に関する決定候補の選択肢を切り替える。そして、他方の操作である「第２ボタン操作」が行われ場合に、選択項目を決定候補の選択肢に決定する。
【００４７】
また、操作パネル１には、ボタン１１のほか、他の機能を有するボタンが設けられていなくてもよく、他の機能を有するボタンが設けられていてもよい。すなわち、操作パネル１に設けられたボタンの総数は、特に限定されるものではない。
【００４８】
続いて、本発明の電子機器の第２実施形態に係る複合機Ｍについて説明する。なお、第２実施形態および後述する第３実施形態では、説明済みの実施形態と同様の内容については、適宜説明を省略し、説明済みの実施形態とは異なる点を中心に説明する。
【００４９】
第２実施形態の複合機Ｍは、選択画面１００が表示された状態で、ボタン１１がダブルクリックされた場合に、追加候補アイコン１０５（図１１参照）が候補アイコン１０１と共に表示される点で、第１実施形態の複合機Ｍとは相違する。
【００５０】
コントローラー６は、ボタン１１からの出力信号に基づいて、ボタン１１が短押しされたか、長押しされたか、ダブルクリックされたかを判断する。すなわち、コントローラー６は、ＲＯＭ６２に記憶された基準時間内にボタン１１が押された回数が、２回である場合には、ダブルクリックであると判断し、１回である場合には、短押し或いは長押しであると判断する。換言すれば、コントローラー６は、ボタン１１が前回押された時点から今回押されるまでの時間間隔が、基準時間よりも短い場合には、ダブルクリックであると判断し、基準時間よりも長い場合には、短押し或いは長押しであると判断する。そして、コントローラー６は、ボタン１１が押された時間が、閾値時間よりも短い場合には、短押しであると判断し、閾値時間よりも長い場合には、長押しであると判断する。なお、基準時間は、書換え可能な記憶部に記憶された構成でもよい。すなわち、基準時間を、ユーザーが所望の長さに変更可能な構成でもよい。また、ダブルクリックは、基準時間内にボタン１１が連打されるマルチクリックの一例であり、その回数は限定されるものではない。
【００５１】
図１０および図１１に基づいて、第２実施形態の複合機Ｍに表示される選択画面１００について説明する。選択画面１００が表示された状態（図１０参照）で、ボタン１１がダブルクリックされると、図１１に示すように、候補文字列１０２に代えて、追加候補アイコン１０５が、候補アイコン１０１と共に表示される。追加候補アイコン１０５は、追加選択項目に関する決定候補の選択肢を示す。追加選択項目は、候補アイコン１０１が示す決定候補の選択肢に関する選択項目とは別の選択項目である。なお、追加候補アイコン１０５は、反時計回り方向に並んだ、次アイコン１０３、候補アイコン１０１および旧アイコン１０４の内側に出現する。また、追加候補アイコン１０５は、候補アイコン１０１から透明度を変えながら出現する。もちろん、追加候補アイコン１０５が出現する位置や、出現の仕方は、これに限定されるものではない。
【００５２】
追加選択項目は、選択項目と同様の手順で、複数の選択肢のなかから選択された選択肢に決定される。すなわち、選択画面１００に追加候補アイコン１０５が表示された状態で、ボタン１１が短押しされると、追加選択項目に関する決定候補の選択肢が他の選択肢に切り替えられ、切替え後の決定候補の選択肢を示す追加候補アイコン１０５が表示される。また、選択画面１００に追加候補アイコン１０５が表示された状態で、ボタン１１が長押しされると追加選択項目が決定候補の選択肢に決定される。ディスプレー１２には、追加選択項目として決定された選択肢に対応した画面が表示される。
【００５３】
なお、選択画面１００に追加候補アイコン１０５が表示されていない状態で、ボタン１１が長押しされると、追加選択項目は、デフォルトのまま設定される。また、選択画面１００に追加候補アイコン１０５が表示された状態で、ボタン１１がダブルクリックされると、追加選択項目は、追加候補アイコン１０５が示す決定候補の選択肢に決定されることなく、デフォルトのまま設定される。このとき、追加候補アイコン１０５は、例えば候補アイコン１０１に吸い込まれるようにして消滅する。
【００５４】
また、選択画面１００に追加候補アイコン１０５が表示された場合に、上記の次アイコン１０３および旧アイコン１０４と同様に、次回、ボタン１１が短押しされた後に、追加候補アイコン１０５となる選択肢を示すアイコンや、前回、ボタン１１が短押しされる前に、追加候補アイコン１０５であった選択肢を示すアイコンが表示されてもよい。
【００５５】
図１２ないし図１７に基づいて、選択画面１００の操作手順について、より具体的に説明する。選択項目「コピー設定」の選択画面１００（図８参照）において、選択項目「コピー設定」が選択肢「部数設定」に決定されると、コントローラー６は、図１２に示したように、選択項目「部数設定（十の位）」の選択画面１００をディスプレー１２に表示させる。選択項目「部数設定（十の位）」は、印刷部数となる２桁の数値のうち十の位の数値を選択するための選択項目であり、選択肢には、「０」から「９」までの１０個の数値が含まれる。ここでは、選択画面１００に表示された候補アイコン１０１が示すように、選択項目「部数設定（十の位）」に関する決定候補の選択肢は、「０」となっている。
【００５６】
この状態で、ユーザーによりボタン１１が短押しされると、コントローラー６は、決定候補の選択肢を「０」から「１」に切り替える。また、コントローラー６は、選択画面１００に、切替え後の決定候補の選択肢「１」を示す候補アイコン１０１を表示させる（図１３参照）。
【００５７】
この状態で、ユーザーによりボタン１１がダブルクリックされると、コントローラー６は、選択項目「部数設定（十の位）」を決定候補の選択肢「１」に決定する。そして、コントローラー６は、図１４に示したように、選択画面１００に、候補アイコン１０１と共に、追加候補アイコン１０５を表示させる。追加候補アイコン１０５は、追加選択項目「部数設定（一の位）」に関する決定候補の選択肢を示す。追加選択項目「部数設定（一の位）」は、印刷部数となる数値のうち一の位の数値を選択するための選択項目であり、選択肢には、「０」から「９」までの１０個の数値が含まれる。ここでは、選択画面１００に表示された追加候補アイコン１０５が示すように、追加選択項目「部数設定（一の位）」に関する決定候補の選択肢は、「０」となっている。このように、印刷部数となる２桁の数値のうち、第２の位（一の位）に関する決定候補の選択肢を示す追加候補アイコン１０５を、第１の位（十の位）に関する決定候補の選択肢を示す候補アイコン１０１と共に、ユーザーに視認させることができる。
【００５８】
この状態で、ユーザーによりボタン１１が２回短押しされると、コントローラー６は、決定候補の選択肢を「０」から「１」に切り替え、さらに「２」に切り替える。また、コントローラー６は、１回目にボタン１１が短押しされた時点で、切替え後の決定候補の選択肢「１」を示す追加候補アイコン１０５を表示させ（図１５参照）、続けて、２回目にボタン１１が短押しされた時点で、切替え後の決定候補の選択肢「２」を示す追加候補アイコン１０５を表示させる（図１６参照）。
【００５９】
この状態で、ユーザーによりボタン１１が長押しされると、コントローラー６は、追加選択項目「部数設定（一の位）」を決定候補の選択肢「２」に決定する。このようにして、印刷部数が「１２部」に設定される。また、コントローラー６は、決定された選択肢「２」に対応した画面として、選択項目「コピー設定」の選択画面１００であって、決定候補の選択肢が「部数設定」となった画面を、ディスプレー１２に再び表示させる（図１７参照）。なお、追加選択項目「部数設定（一の位）」がいずれの選択肢に決定された場合も、同画面が表示される。また、同画面には、設定された印刷部数を示す数値が表示されてもよい。
【００６０】
なお、ここでは、選択項目が「部数設定（十の位）」で、追加選択項目が「部数設定（一の位）」であったが、これとは逆に、選択項目が「部数設定（一の位）」で、追加選択項目が「部数設定（十の位）」でもよい。この構成によれば、印刷部数が１桁の場合は、選択項目「部数設定（一の位）」のみを選択すればよく、追加選択項目「部数設定（十の位）」として選択肢「０」を選択する必要がないため、印刷部数となる１桁の数値の入力を、少ない回数のボタン１１操作で行うことができる。
【００６１】
さらに、選択項目が「部数設定（１番目の数値）」で、追加選択項目が「部数設定（２番目の数値）」でもよい。この構成では、選択項目「部数設定（１番目の数値）」のみが選択され、追加選択項目「部数設定（２番目の数値）」が選択されない場合に、選択項目「部数設定（１番目の数値）」で選択された数値は、一の位となる。また、選択項目「部数設定（１番目の数値）」が選択された後、追加選択項目「部数設定（２番目の数値）」が選択された場合は、選択項目「部数設定（１番目の数値）」で選択された数値が十の位に繰り上がり、追加選択項目「部数設定（２番目の数値）」で選択された数値が一の位となる。この構成によれば、印刷部数が１桁の場合は、選択項目「部数設定（１番目の数値）」のみを選択すればよく、追加選択項目「部数設定（２番目の数値）」を選択する必要がないため、印刷部数となる１桁の数値の入力を、少ない回数のボタン１１操作で行うことができる。また、印刷部数が２桁の場合は、十の位から設定することになるため、ユーザーは、テンキー等で印刷部数を入力する際と同様の感覚で、印刷部数となる２桁の数値を入力することができる。
【００６２】
図１８ないし図２０に基づいて、選択画面１００の操作手順を示す他の具体例について説明する。図１８に示したように、選択項目「モード」の選択画面１００において、決定候補の選択肢が「コピー」となっている状態で、ユーザーによりボタン１１がダブルクリックされると、コントローラー６は、選択項目「モード」を決定候補の選択肢「コピー」に決定する。そして、コントローラー６は、図１９に示したように、選択画面１００に、候補アイコン１０１と共に追加候補アイコン１０５を表示させる。
【００６３】
追加候補アイコン１０５は、追加選択項目「ショートカット（コピー）」に関する決定候補の選択肢を示す。追加選択項目「ショートカット（コピー）」は、選択項目「モード」とは別の選択項目に設けられている選択肢に素早くアクセスするための選択項目である。追加選択項目「ショートカット（コピー）」の選択肢には、選択項目「コピー設定」の選択肢でもある「コピー開始」、選択項目「カラー設定」の選択肢でもある「カラー」、および選択項目「給紙トレイ設定」の選択肢でもある「Ａ４」などが含まれる。なお、追加選択項目「ショートカット（コピー）」の選択肢には、複数の選択項目についてプリセットしたものが含まれてもよい。ここでは、選択画面１００に表示された追加候補アイコン１０５が示すように、追加選択項目「ショートカット（コピー）」に関する決定候補の選択肢は、「コピー開始」となっている。
【００６４】
この状態で、ユーザーによりボタン１１が長押しされると、コントローラー６は、追加選択項目「ショートカット（コピー）」を決定候補の選択肢「コピー開始」に決定する。これにより、コントローラー６は、上記の選択項目「コピー設定」が選択肢「コピー開始」に決定された場合と同様に、スキャン機構４、給紙機構２および印刷機構３を制御してコピー動作を開始させる。また、コントローラー６は、決定された選択肢「コピー開始」に対応した画面として、コピー中であることを示す画面をディスプレー１２に表示させる（図２０参照）。このように、複合機Ｍは、追加選択項目「ショートカット（コピー）」が設けられていることにより、少ない回数のボタン１１操作で、コピー動作を開始することができる。
【００６５】
なお、追加選択項目は、上記した印刷部数の設定或いはショートカットのほか、例えば、ＦＡＸ送信先を送信先リストから選択する場合にも適用可能である。ユーザーは、設定項目「送信先（一文字目）」の選択画面１００において、選択肢「Ａ」〜「Ｚ」のなかから、所望のＦＡＸ送信先の一文字目の文字を選択する。例えば「Ａ」が選択された場合には、選択画面１００に追加選択項目「送信先（Ａ）」の追加候補アイコン１０５が表示される。追加選択項目「送信先（Ａ）」には、送信先リストに登録されたＦＡＸ送信先のうち、一文字目が「Ａ」から始まるＦＡＸ送信先、例えば、「ＡＡＡ株式会社」、「ＡＢＣショップ」などの選択肢が含まれ、ユーザーは、そのなかから、所望のＦＡＸ送信先を選択する。
【００６６】
図２１に基づいて、選択画面１００に追加候補アイコン１０５が表示されていない状態でボタン１１が押された場合に、コントローラー６が実行する処理について説明する。コントローラー６は、ＣＰＵ６１がＲＯＭ６２に記憶された制御プログラムをＲＡＭ６３を用いて実行することにより、以下のステップを実行する。
【００６７】
ステップＳ２１は、ステップＳ１１と同様に行われる。より詳しく言うと、コントローラー６は、ボタン１１が押されるまでは、ステップＳ１１を繰り返し、ボタン１１が押されると、タイマーで計時を開始する。そして、ボタン１１が離されると、その時点での計時された時間を記憶しておき、計時を継続する。その後、計時された時間が基準時間に到達すると、計時を終了し、ステップＳ１２に進む。この基準時間も、ユーザーが予め変更していてもよい。
【００６８】
ステップＳ２２では、コントローラー６は、ボタン１１が短押しされたか、長押しされたか、ダブルクリックされたかを判断する。コントローラー６は、ボタン１１が短押しされたと判断すると、ステップＳ２３に進む。コントローラー６は、ボタン１１が長押しされたと判断すると、ステップＳ２５に進む。コントローラー６は、ボタン１１がダブルクリックされたと判断すると、ステップＳ２７に進む。より詳しく言うと、コントローラー６は、ステップＳ１１で計時された時間が基準時間に到達するまでにボタン１１が２回以上押されていれば、ダブルクリックされたものと判断してステップＳ２７に進む。コントローラー６は、ステップＳ１１で計時された時間が基準時間に到達するまでにボタン１１が１回しか押されていなければ、記憶しておいた時間とＲＯＭ６２に記憶された閾値時間とを比較し、記憶しておいた時間が閾値時間よりも短ければボタン１１が短押しされたと判断してステップＳ２３に進み、記憶しておいた時間が閾値時間よりも長ければボタン１１が長押しされたと判断してステップＳ２５に進む。この閾値時間も段落００２４で述べたように、ユーザーが予め変更していてもよい。
【００６９】
ステップＳ２３ないしステップＳ２６は、ステップＳ１３ないしステップＳ１６と同様に行われる。
【００７０】
ステップＳ２７では、コントローラー６は、選択項目を決定候補の選択肢に決定する。
【００７１】
ステップＳ２８では、コントローラー６は、候補アイコン１０１と共に、追加候補アイコン１０５が表示されるように、ディスプレー１２を制御する。
【００７２】
以上のように、第２実施形態の複合機Ｍは、ボタン１１と、コントローラー６とを備えている。コントローラー６は、ボタン１１が短押しされた場合に、選択項目に関する決定候補の選択肢を他の選択肢に切り替えてディスプレー１２に表示させる。また、コントローラー６は、ボタン１１が長押しされた場合に、選択項目を決定候補の選択肢に決定し、決定された選択肢に対応した画面をディスプレー１２に表示させる。さらに、コントローラー６は、ボタン１１がダブルクリックされた場合に、選択項目に関する決定候補の選択肢と共に、追加選択項目に関する決定候補の選択肢をディスプレー１２に表示させる。
【００７３】
また、第２実施形態の複合機Ｍにおいて、制御プログラムは、ＣＰＵ６１に、以下のステップを実行させる。
ボタン１１が短押しされた場合に、選択項目に関する決定候補の選択肢を他の選択肢に切り替えてディスプレー１２に表示させるステップ。
ボタン１１が長押しされた場合に、選択項目を決定候補の選択肢に決定し、決定された選択肢に対応した画面をディスプレー１２に表示させるステップ。
ボタン１１がダブルクリックされた場合に、選択項目に関する決定候補の選択肢と共に、追加選択項目に関する決定候補の選択肢をディスプレー１２に表示させるステップ。
【００７４】
この構成によれば、選択項目に関する決定候補の選択肢を切り替えるための操作と、選択項目を決定候補の選択肢に決定するための操作と、選択項目に関する決定候補の選択肢と共に追加選択項目に関する決定候補の選択肢を表示させるための操作とが、同じボタン１１を用いて行われる。これにより、複合機Ｍが備えるボタンの数を減らすことができ、操作性を向上させることができる。
【００７５】
なお、第２実施形態の複合機Ｍでは、コントローラー６は、ボタン１１が短押しされると、選択項目に関する決定候補の選択肢を切り替え、ボタン１１が長押しされると、選択項目を決定候補の選択肢に決定し、ボタン１１がダブルクリックされると、追加選択項目に関する決定候補の選択肢を表示させるが、これに限定されるものではない。例えば、コントローラー６は、ボタン１１が短押しされると、選択項目に関する決定候補の選択肢を切り替え、ボタン１１がダブルクリックされると、選択項目を決定候補の選択肢に決定し、ボタン１１が長押しされると、追加選択項目に関する決定候補の選択肢を表示させてもよい。
【００７６】
このように、コントローラー６は、ボタン１１の短押しと、ボタン１１の長押しと、ボタン１１のダブルクリックとの３つの操作のうち、いずれかの操作である「第１ボタン操作」が行われた場合に、選択項目に関する決定候補の選択肢を切り替える。「第１ボタン操作」とは異なる「第２ボタン操作」が行われた場合に、選択項目を決定候補の選択肢に決定する。そして、「第１ボタン操作」および「第２ボタン操作」とは異なる「第３ボタン操作」が行われた場合に、追加選択項目に関する決定候補の選択肢を表示させる。
【００７７】
図２２ないし図２５に基づいて、第２実施形態の変形例に係る複合機Ｍに表示される選択画面１００について説明する。第２実施形態の変形例に係る複合機Ｍでは、コントローラー６が、ボタン１１がダブルクリックされた場合に、選択項目に関する決定候補の選択肢と共に追加選択項目に関する決定候補の選択肢を表示させる代わりに、決定候補の選択肢を切替え前の選択肢に戻す点で、第２実施形態の複合機Ｍと相違する。ここでは、選択項目に関する複数の選択肢「Ａ」、「Ｂ」、「Ｃ」、「Ｄ」および「Ｅ」のなかから、選択項目を「Ｂ」に決定する場合を例に挙げて説明する。
【００７８】
図２２に示すように、選択画面１００には、決定候補の選択肢として「Ａ」を示す候補アイコン１０１および候補文字列１０２が表示されている。この状態で、ユーザーによりボタン１１が短押しされると、コントローラー６は、決定候補の選択肢を「Ａ」から「Ｂ」に切り替える。また、コントローラー６は、選択画面１００に、切替え後の決定候補の選択肢「Ｂ」を示す候補アイコン１０１および候補文字列１０２を表示させる（図２３参照）。
【００７９】
この状態で、ユーザーは、選択項目を決定候補の選択肢「Ｂ」に決定するために、ボタン１１を長押しすればよい。ところが、誤操作により、ボタン１１を押している時間が短くなってしまい、コントローラー６により短押しであると判断されると、決定候補の選択肢が「Ｂ」からさらに「Ｃ」に切り替えられてしまう。そして、選択画面１００には、切替え後の決定候補の選択肢「Ｃ」を示す候補アイコン１０１および候補文字列１０２が表示される（図２４参照）。この場合、ユーザーは、ボタン１１を繰り返し短押しすることにより、決定候補の選択肢を、「Ｃ」から「Ｄ」、「Ｅ」、「Ａ」と順次切替え、最終的に所望の選択肢「Ｂ」に戻すこともできるが、ボタン１１を何回も短押しすることになり、面倒である。
【００８０】
これに対し、決定候補の選択肢が「Ｂ」から「Ｃ」に切り替えられた状態で、ユーザーによりボタン１１がダブルクリックされると、コントローラー６は、決定候補の選択肢「Ｃ」を切替え前の選択肢「Ｂ」に戻す。そして、コントローラー６は、選択画面１００に、切替え前の決定候補の選択肢「Ｂ」を示す候補アイコン１０１および候補文字列１０２を表示させる（図２５参照）。このように、ボタン１１がダブルクリックされると、決定候補の選択肢が切替え前の選択肢に戻る。このため、誤操作により、ボタン１１を余分に短押ししてしまい、決定候補の選択肢を所望の選択肢から他の選択肢に切り替えてしまった場合にも、ボタン１１を何回も短押しすることなく、すぐに決定候補の選択肢を所望の選択肢に戻すことができる。
【００８１】
続いて、本発明の電子機器の第３実施形態に係る複合機Ｍについて説明する。図２６に示したように、第３実施形態の複合機Ｍは、ボタン１１に代えて、第１ボタン１１ａおよび第２ボタン１１ｂを備えている点で、第１実施形態や第２実施形態の複合機Ｍと相違する。より具体的には、第３実施形態の複合機Ｍは、追加選択項目に関する決定候補の選択肢を、第１ボタン１１ａがダブルクリックされた場合ではなく、第２ボタン１１ｂが押された場合に、表示する点で、第２実施形態の複合機Ｍと相違する。
【００８２】
図２７に基づいて、第３実施形態の複合機Ｍにおいて、選択画面１００に追加候補アイコン１０５が表示されていない状態でボタン１１が押された場合に、コントローラー６が実行する処理について説明する。コントローラー６は、ＣＰＵ６１がＲＯＭ６２に記憶された制御プログラムをＲＡＭ６３を用いて実行することにより、以下のステップを実行する。
【００８３】
ステップＳ３１では、コントローラー６は、第１ボタン１１ａが押されたか否かを判断する。コントローラー６は、第１ボタン１１ａが押されたと判断すると（Ｓ３１；Ｙｅｓ）、ステップＳ３２に進む。より詳しく言うと、コントローラー６は、第１ボタン１１ａが押されるとタイマーで計時を開始する。そして、第１ボタン１１ａが離されると、計時を終了し、ステップＳ３２に進む。一方、コントローラー６は、第１ボタン１１ａが押されていないと判断すると（Ｓ３１；Ｎｏ）、ステップＳ３７に進む。
【００８４】
ステップＳ３２では、コントローラー６は、第１ボタン１１ａが短押しされたか長押しされたかを判断する。コントローラー６は、第１ボタン１１ａが短押しされたと判断すると、ステップＳ３３に進む。一方、コントローラー６は、第１ボタン１１ａが長押しされたと判断すると、ステップＳ３５に進む。より詳しく言うと、コントローラー６は、ステップＳ３１で計時された時間とＲＯＭ６２に記憶された閾値時間とを比較し、計時された時間が閾値時間よりも短ければ、第１ボタン１１ａが短押しされたと判断してステップＳ３３に進み、計時された時間が閾値時間よりも長ければ、第１ボタン１１ａが長押しされたと判断してステップＳ３５に進む。この閾値時間は、段落００２４で述べたように、ユーザーが予め変更していてもよい。
【００８５】
ステップＳ３３ないしステップＳ３６は、ステップＳ２３ないしステップＳ２６と同様に行われる。
【００８６】
ステップＳ３７では、コントローラー６は、第２ボタン１１ｂが押されたか否かを判断する。コントローラー６は、第２ボタン１１ｂが押されたと判断すると（Ｓ３７；Ｙｅｓ）、ステップＳ３８に進む。一方、コントローラー６は、第２ボタン１１ｂが押されていないと判断すると（Ｓ３７；Ｎｏ）、ステップＳ３１に戻る。より詳しく言うと、コントローラー６は、第１ボタン１１ａおよび第２ボタン１１ｂが押されるまでは、ステップＳ３１およびステップＳ３７を繰り返し行う。
【００８７】
ステップＳ３８およびステップＳ３９は、ステップＳ２７およびステップＳ２８と同様に行われる。
【００８８】
以上のように、第３実施形態の複合機Ｍは、第１ボタン１１ａと、第２ボタン１１ｂと、コントローラー６とを備えている。コントローラー６は、第１ボタン１１ａが短押しされた場合に、選択項目に関する決定候補の選択肢を他の選択肢に切り替えてディスプレー１２に表示させる。また、コントローラー６は、第１ボタン１１ａが長押しされた場合に、選択項目を決定候補の選択肢に決定し、決定された選択肢に対応した画面をディスプレー１２に表示させる。さらに、コントローラー６は、第２ボタン１１ｂが押された場合に、選択項目に関する決定候補の選択肢と共に、追加選択項目に関する決定候補の選択肢をディスプレー１２に表示させる。
【００８９】
また、第３実施形態の複合機Ｍにおいて、制御プログラムは、ＣＰＵ６１に、以下のステップを実行させる。
第１ボタン１１ａが短押しされた場合に、選択項目に関する決定候補の選択肢を他の選択肢に切り替えてディスプレー１２に表示させるステップ。
第１ボタン１１ａが長押しされた場合に、選択項目を決定候補の選択肢に決定し、選択項目として決定された選択肢に対応した画面をディスプレー１２に表示させるステップ。
第２ボタン１１ｂが押された場合に、選択項目に関する決定候補の選択肢と共に、追加選択項目に関する決定候補の選択肢をディスプレー１２に表示させるステップ。
【００９０】
この構成によれば、選択項目に関する決定候補の選択肢を切り替えるための操作と、選択項目を決定候補の選択肢に決定するための操作とが、同じ第１ボタン１１ａを用いて行われる。これにより、複合機Ｍが備えるボタンの数を減らすことができ、操作性を向上させることができる。
【００９１】
なお、第３実施形態の複合機Ｍでは、コントローラー６は、第１ボタン１１ａが短押しされると、選択項目に関する決定候補の選択肢を切り替え、第１ボタン１１ａが長押しされると、選択項目を決定候補の選択肢に決定し、第２ボタン１１ｂが押されると、追加選択項目に関する決定候補の選択肢を表示させるが、これに限定されるものではない。例えば、コントローラー６は、第１ボタン１１ａが短押しされると、選択項目に関する決定候補の選択肢を切り替え、第２ボタン１１ｂが押されると、選択項目を決定候補の選択肢に決定し、第１ボタン１１ａが長押しされると、追加選択項目に関する決定候補の選択肢を表示させてもよい。また、コントローラー６は、第１ボタン１１ａがシングルクリックされると、選択項目に関する決定候補の選択肢を切り替え、第１ボタン１１ａがダブルクリックされると、選択項目を決定候補の選択肢に決定し、第２ボタン１１ｂが押されると、追加選択項目に関する決定候補の選択肢を表示させてもよい。
【００９２】
このように、コントローラー６は、同じ第１ボタン１１ａに対する操作であって、閾値時間に対する第１ボタン１１ａが押された時間の長短、および基準時間内に第１ボタン１１ａが押された回数、の一方が異なる２つの操作と、第２ボタン１１ｂに対する操作との３つの操作のうち、いずれかの操作である「第１ボタン操作」が行われた場合に、選択項目に関する決定候補の選択肢を切り替える。「第１ボタン操作」とは異なる「第２ボタン操作」が行われた場合に、選択項目を決定候補の選択肢に決定する。そして、「第１ボタン操作」および「第２ボタン操作」とは異なる「第３ボタン操作」が行われた場合に、選択項目に関する決定候補の選択肢と共に追加選択項目に関する決定候補の選択肢を表示させる。
【００９３】
また、第３実施形態の複合機Ｍにおいても、第２実施形態の変形例と同様に、コントローラー６が、例えば第２ボタン１１ｂが押された場合に、選択項目に関する決定候補の選択肢と共に追加選択項目に関する決定候補の選択肢を表示させる代わりに、決定候補の選択肢を切替え前の選択肢に戻す構成でもよい。
【００９４】
なお、コントローラー６は、「制御部」の一例である。ＣＰＵ６１は、「プロセッサー」の一例であり、ＡＳＩＣ（Application Specific Integrated Circuit）やＳＯＣ（System-On-a-Chip）やＣＰＵやこれらの組み合わせも「プロセッサー」に含まれる。
本発明は上記した第１実施形態ないし第３実施形態に限定されず、その趣旨を逸脱しない範囲で種々の構成を採用可能であることは言うまでもない。例えば、本実施形態は、上述したほか、以下のような形態に変更することができる。
【００９５】
第２実施形態の複合機Ｍは、同じボタン１１に対する３つの操作により、３つの機能を行うものであるが、同じボタン１１に対する４つ以上の操作により、４つ以上の機能を行う構成でもより。例えば、コントローラー６は、ボタン１１が短押しされると、選択項目に関する決定候補の選択肢を切り替え、ボタン１１が長押しされると、選択項目を決定候補の選択肢に決定し、ボタン１１がダブルクリックされると、追加選択項目に関する決定候補の選択肢を表示させ、ボタン１１がトリプルクリックされると、決定候補の選択肢を切替え前の選択肢に戻す構成でもよい。
【００９６】
本発明は、複合機Ｍのみならず、例えば、印刷装置、スキャナー装置、プロジェクター、スマートウオッチといった様々な電子機器に適用可能である。電子機器は、ディスプレー１２を備えている必要はない。すなわち、電子機器が備えるボタン１１に対する操作により、外部装置が備える表示部の表示や外部に投影表示される画面が切り替わる構成でもよい。また、制御プログラムを、コンピューターで読取り可能な記録媒体（ＣＤ−ＲＯＭ、フラッシュメモリー等）に格納して提供してもよい。
【符号の説明】
【００９７】
１…操作パネル、１１…ボタン、１２…ディスプレー、１００…選択画面、１０１…候補アイコン、１０２…候補文字列、１０３…次アイコン、１０４…旧アイコン
【図１】
2018136827.tif 000003
【図２】
2018136827.tif 000004
【図３】
2018136827.tif 000005
【図４】
2018136827.tif 000006
【図５】
2018136827.tif 000007
【図６】
2018136827.tif 000008
【図７】
2018136827.tif 000009
【図８】
2018136827.tif 000010
【図９】
2018136827.tif 000011
【図１０】
2018136827.tif 000012
【図１１】
2018136827.tif 000013
【図１２】
2018136827.tif 000014
【図１３】
2018136827.tif 000015
【図１４】
2018136827.tif 000016
【図１５】
2018136827.tif 000017
【図１６】
2018136827.tif 000018
【図１７】
2018136827.tif 000019
【図１８】
2018136827.tif 000020
【図１９】
2018136827.tif 000021
【図２０】
2018136827.tif 000022
【図２１】
2018136827.tif 000023
【図２２】
2018136827.tif 000024
【図２３】
2018136827.tif 000025
【図２４】
2018136827.tif 000026
【図２５】
2018136827.tif 000027
【図２６】
2018136827.tif 000028
【図２７】
2018136827.tif 000029